(57)【特許請求の範囲】
【請求項１】
庫内において収納物が載置される棚板の両端を庫内に設けられた支持部で支持する収納庫であって、
前記収納庫の開口を開閉する扉の内側面に取り付けられ、前記扉が閉じられた状態において前記棚板を支持するための棚受け部を備えていることを特徴とする、収納庫。
【請求項２】
前記棚受け部は、前記棚板の両端間の中央部分を支持するように配置されていることを特徴とする、請求項１に記載の収納庫。
【請求項３】
前記扉は、前記開口の一端の回りを回動することにより前記開口を開閉するものであって、
前記棚板は複数段からなると共に、前記棚受け部は前記複数段の棚板を各々支持するように棚板毎に設けられ、
前記扉が回動して閉じられるときに、前記複数の棚受け部の少なくとも１つは他の棚受け部と前記棚板の支持を開始するタイミングが異なることを特徴とする、請求項１又は２に記載の収納庫。
【請求項４】
前記複数の棚受け部の少なくとも１つは他の棚受け部と前記棚板を支持する部分の先端の位置が異なっていることを特徴とする、請求項３に記載の収納庫。
【請求項５】
前記扉は、観音開き式の左扉及び右扉を含み、
前記棚受け部は、前記左扉及び右扉の少なくともいずれか一方の内側に設けられていることを特徴とする、請求項１〜４のいずれか１項に記載の収納庫。
【請求項６】
前記棚板は、庫内において固定部材により固定されていることを特徴とする、請求項１〜５のいずれか１項に記載の収納庫。
【発明の詳細な説明】
【技術分野】
【０００１】
本発明は、収納庫に関し、特に、庫内において収納物が載置される棚板の両端を庫内に設けられた支持部で支持する収納庫に関する。
【背景技術】
【０００２】
従来、庫内において収納物が載置される棚板の両端を庫内の内壁に設けられた支持部で支持する収納庫が種々提案されている（例えば、特許文献１参照）。この特許文献１には、内部槽の内側の両端に設けられる一対の断面Ｌ字状の一対の棚部材支持部と、当該棚部材支持部に支持される棚部材とを備えた環境試験器（収納庫）が開示されている。
【０００３】
また、近年では、大型ディスプレイの需要の拡大により、大型ディスプレイを生産・検査するための収納庫（恒温槽）の開発が進んでいる。図９は、従来の一例による恒温槽の全体構成を示した斜視図である。従来の恒温槽５０１は、図９に示すように、筐体５１０と、筐体５１０の開口５１０ａを開閉する左扉５２１及び右扉５２２と、複数段からなる棚板５３０と、当該棚板５３０を支持する棚受け部材５４０とを備えている。そして、大型ディスプレイ等の収納物が棚板５３０に載置されて、当該恒温槽５０１に収納される。
【０００４】
【特許文献１】特開２００５−２２４２９４号公報
【発明の開示】
【発明が解決しようとする課題】
【０００５】
図９に示した従来の恒温槽５０１では、大型ディスプレイ等の収納物を載置するために棚板５３０の幅が大きく設定されている。このため、棚板５３０の自重や棚板５３０に載置される収納物の荷重により、棚板５３０が図９の矢印Ａ方向（重力方向）に撓むという不都合があった。そこで、従来、棚板５３０を支持する支柱などを庫内に設けることにより、棚板５３０が撓むという上記不都合を解消していたが、支柱などを設けることで、収納物の出し入れが妨げられ、収納物の出し入れを円滑に行うことが困難であった。
【０００６】
また、上記特許文献１に記載の環境試験器でも、大型ディスプレイ等の幅が大きい収納物を棚部材に載置する場合、棚部材の幅を大きくする必要がある。この場合、図４に示した恒温槽１０１と同様に、棚部材が撓むという不都合が生じる。
【０００７】
そこで、本発明は、上記課題を鑑みなされたものであって、棚板が撓むのを抑制しつつ、収納物の出し入れを円滑に行うことが可能な収納庫を提供することを目的としている。
【課題を解決するための手段および発明の効果】
【０００８】
上記目的を達成するために、この発明の収納庫は、庫内において収納物が載置される棚板の両端を庫内に設けられた支持部で支持する収納庫であって、収納庫の開口を開閉する扉の内側面に取り付けられ、扉が閉じられた状態において棚板を支持するための棚受け部を備えている。
【０００９】
上記構成によれば、庫内において両端で支持される棚板を、扉の内側面に取り付けられた棚受け部によりその両端以外の部分で支持することができるので、棚板が自重により又は棚板上に載置される収納物の荷重により撓むのを抑制することができる。そして、本発明の収納庫では、棚受け部が収納庫の開口を開閉する扉に取り付けられているので、庫内の構成を変更する必要がない。このため、棚板を支持する支柱などを庫内に配置する場合と異なり、収納物の出し入れを妨げるものが無く、収納物の出し入れを円滑に行うことができる。
【００１０】
上記収納庫において、好ましくは、棚受け部は、棚板の両端間の中央部分を支持するように配置されている。
【００１１】
上記構成によれば、棚板の最も撓み易い部分である棚板の両端間の中央部分を支持することができる。
【００１２】
上記収納庫において、好ましくは、扉は、開口の一端の回りを回動することにより開口を開閉するものであって、棚板は複数段からなると共に、棚受け部は複数段の棚板を各々支持するように棚板毎に設けられ、扉が回動して閉じられるときに、複数の棚受け部の少なくとも１つは他の棚受け部と棚板の支持を開始するタイミングが異なっている。
【００１３】
上記構成によれば、庫内に複数段の棚板が設けられる場合でも、複数の棚受け部により各々支持することができる。この際、扉を閉じるときに、複数の棚受け部の少なくとも１つは他の棚受け部と棚板の支持を開始するタイミングが異なっているので、棚板を支持する際の棚受け部が受ける摩擦力が徐々に加わる。従って、棚受け部に対して複数の棚板からの摩擦力が同時に加わる場合に比べて、扉を容易に閉じることができ、複数の棚受け部により複数の棚板を容易に支持させることができる。
【００１４】
この場合、好ましくは、複数の棚受け部の少なくとも１つは他の棚受け部と棚板を支持する部分の先端の位置が異なっている。
【００１５】
上記構成によれば、上記した複数の棚受け部の少なくとも１つは他の棚受け部と棚板の支持を開始するタイミングが異なっている収納庫を容易に実現できる。
【００１６】
上記収納庫において、好ましくは、扉は、観音開き式の左扉及び右扉を含み、棚受け部は、左扉及び右扉の少なくともいずれか一方の内側に設けられている。
【００１７】
上記構成によれば、棚受け部が設けられた左扉及び右扉の少なくともいずれか一方が閉じられたときに、棚板を支持することができるので、観音開き式の扉を備えた収納庫において、容易に棚板が撓むのを抑制しつつ、収納物の出し入れを円滑に行うことができる。
【００１８】
上記収納庫において、好ましくは、棚板は、庫内において固定部材により固定されている。
【００１９】
上記構成によれば、固定部材により棚板が庫内において固定されるので、棚受け部により棚板が支持された状態で扉を開いた場合でも、棚受け部と棚板との間の摩擦力によって棚板が庫内からせり出してしまうのを防止することができる。
【発明を実施するための最良の形態】
【００２０】
以下、本発明を具体化した実施形態を図面に基づいて説明する。
【００２１】
図１は、本発明の一実施形態に係る恒温槽の全体構成を示した斜視図である。図２は、図１に示した恒温槽の左扉が閉じられた状態を示した内部槽内の側面図である。図３は、図１に示した恒温槽の棚受け部が棚板を支持する過程を説明するための図である。図４は、図１に示した恒温槽の棚受け部材が底面の段部に支持される状態を示している側面図である。以下、図１〜図４を参照して、本発明の一実施形態に係る恒温槽１について説明する。
【００２２】
本実施形態の恒温槽１は、気体循環系によって収納物に温度及び／又は湿度を付与するように構成されている。そして、この恒温槽１は、大型ディスプレイ等の幅の大きい収納物を収納可能であって、大型ディスプレイ等の環境試験に利用される。
【００２３】
この恒温槽１は、図１に示すように、側方に開口１０ａが形成される箱型状の筐体１０と、複数段（本実施形態では３段）からなる棚板２０と、当該棚板２０を支持する棚板支持部材３０と、当該棚板２０を庫内において固定する固定フック４０と、筐体１０の開口１０ａを開閉する左扉５１及び右扉５２と、左扉５１に取り付けられる棚受け部材６０とを備えている。
【００２４】
筐体１０には、収納物が配置される内部槽１０ｂが設けられると共に、内部槽１０ｂ内を所定の条件に設定するための加熱器、冷却器や、内部槽１０ｂ内の気体を循環させる送風機などが設けられている。また、筐体１０を構成する壁面の内部には、断熱材が設けられ、上記した加熱器などにより所定の条件に設定された内部槽１０ｂ内の環境を維持すると共に、外部環境の影響を受けないように構成されている。また、図１に示すように、内部槽１０ｂの底面１１には、段部１２が設けられており、左扉５１が閉じられる場合に、後述する上下方向に移動可能な棚受け部材６０が乗り上げるようになっている（図４参照）。この段部１２には、棚受け部材６０が段部１２の平坦部１２ｂ上に滑らかに乗り上げるようにテーパ部１２ａが形成されている。
【００２５】
棚板２０は、筐体１０の内部槽１０ｂ内に配置され、大型ディスプレイ等の収納物を所定の条件に設定された内部槽１０ｂ内において載置するために設けられている。なお、本実施形態では、内部槽１０ｂ内に３枚の棚板２０が設けられており、いずれの棚板２０も、大型ディスプレイ等を載置するために幅が大きく設定されている。また、棚板支持部材３０は、上記した棚板２０を所定の高さ位置で支持するために設けられている。この棚板支持部材３０は、断面Ｌ字形状の一対のレール部材から構成され、当該レール部材は、筐体１０の対向する内壁にそれぞれ取り付けられている。そして、棚板２０は、その両端が庫内の内壁に設けられた棚板支持部材３０の内側に突出する部分で支持され、所定の高さ位置で支持される。なお、棚板２０は、内壁に取り付けられ且つ奥行き方向に沿って延びる棚板支持部材３０によって支持されているが、内壁に取り付けられ且つ奥行き方向に沿って配置された複数の支持部によって支持されても良い。また、棚板２０は、内壁に取り付けられた棚板支持部材ではなく、内壁から独立した棚板支持部材によって支持されても良い。
【００２６】
固定フック４０は、図２に示すように、内部槽１０ｂ内において棚板支持部材３０に載置される棚板２０を固定するために設けられている。これにより、棚板２０が、棚板支持部材３０上を移動してしまうのを防止することができる。
【００２７】
左扉５１及び右扉５２は、図１に示すように、観音開き式の扉であって、左扉５１及び右扉５２の一端が筐体１０に対して回動可能に取り付けられている。これにより、左扉５１及び右扉５２をそれぞれ閉じることにより内部槽１０ｂをほぼ密閉状態にすることができる。
【００２８】
ここで、本実施形態では、左扉５１の他端の内側には、棚板２０を支持する棚受け部材６０が上下方向に移動可能に取り付けられている。この棚受け部材６０には、内部槽１０ｂに配置される複数の棚板２０に対応する複数の棚受け部６１〜６３が設けられており、各棚受け部６１〜６３が複数の棚板２０を各々支持するように構成されている。具体的には、上部の棚受け部６１は上段の棚板２０を支持し、中間の棚受け部６２は中段の棚板２０を支持し、下部の棚受け部６３は下段の棚板２０を支持する。これらの棚受け部６１〜６３は、各々寸法が異なり、棚板２０を支持する部分の先端の位置が各々異なっている。そして、棚受け部６１〜６３は、上部の棚受け部６１、中間の棚受け部６２、下部の棚受け部６３の順に棚板２０を支持する部分の長さが小さくなっている。このため、図３（ａ）に示すように、左扉５１が回動して閉じられるとき、まず、図３（ｂ）に示すように、上部の棚受け部６１の先端が上段の棚板２０の下方に配置される。この際、棚受け部６１に、上段の棚板２０との間の摩擦力Ｆ１が加わる。さらに、左扉５１が閉じられると、図３（ｃ）に示すように、中間の棚受け部６２の先端が中段の棚板２０の下方に配置される。この際、棚受け部６１への摩擦力Ｆ１に加えて、棚受け部６２に、中段の棚板２０との間の摩擦力Ｆ２が加わる。また、さらに、左扉５１が閉じられると、図３（ｄ）に示すように、下部の棚受け部６３の先端が下段の棚板２０の下方に配置される。この際、棚受け部６１への摩擦力Ｆ１及び棚受け部６２への摩擦力Ｆ２に加えて、棚受け部６３に、下段の棚板２０との間の摩擦力Ｆ３が加わる。このようにして、上部の棚受け部６１、中間の棚受け部６２、下部の棚受け部６３によって、それぞれ異なるタイミングで棚板２０が１枚ずつ順に支持される。
【００２９】
また、本実施形態では、左扉５１が閉じられるときに、各棚受け部６１〜６３が棚板２０の両端間の中央部分を支持するように、棚受け部材６０が左扉５１の先端部分に取り付けられている。また、各棚受け部６１〜６３の上端部６１ａ〜６３ａ（図３（ａ）参照）は、テーパ状に形成されており、棚受け部６１〜６３と棚板２０との接触時に、棚板２０が棚受け部６１〜６３の上面に導かれるようになっている。また、棚受け部材６０の下部には、上記した段部１２のテーパ部１２ａに対応するテーパ部６０ａが形成されている。これにより、図４に示すように、左扉５１を閉じる際に、容易に、棚受け部材６０を段部１２のテーパ部１２ａ上を滑らせて平坦部１２ｂ上に導くことができる。その結果、左扉５１が閉じられている状態で、当該棚受け部材６０が段部１２によって下方から支持される。従って、本実施形態のように、左扉５１が大きく、且つ、左扉５１に設けられる棚受け部材６０が棚板２０を支持する構成であっても、左扉５１を開閉可能に支持する蝶番（図示せず）に大きな負荷が加わるのを防止することができる。なお、左扉５１及び右扉５２と筐体１０の端部との間には、パッキン１３が設けられており、内部槽１０ｂの気密性を確保している。
【００３０】
上記したように、本実施形態では、庫内において両端で支持される棚板２０を、棚受け部材６０の棚受け部６１〜６３により、その両端以外の部分（両端間の中央部分）で支持することができるので、棚板２０が自重により又は棚板２０上に載置される収納物の荷重により撓むのを抑制することができる。そして、本実施形態の恒温槽１では、棚受け部６１〜６３が恒温槽１の開口１０ａを開閉する左扉５１に取り付けられているので、内部槽１０ｂ内の構成を変更する必要がない。このため、棚板２０を支持する支柱などを庫内に配置する場合と異なり、収納物の出し入れを妨げるものが無く、収納物の出し入れを円滑に行うことができる。
【００３１】
また、本実施形態では、棚受け部６１〜６３は、棚板２０の両端間の中央部分を支持するように構成されているので、棚板２０の最も撓み易い部分を支持することができる。
【００３２】
また、本実施形態では、複数の棚板２０に対応する複数の棚受け部６１〜６３を設けることによって、内部槽１０ｂの複数段の棚板２０を複数の棚受け部６１〜６３により各々支持することができる。この際、左扉５１を閉じるときに、複数の棚板２０が複数の棚受け部６１〜６３により１枚ずつ異なるタイミングで支持されていくので、棚板２０を支持する際の棚受け部６１〜６３が受ける摩擦力Ｆ１〜Ｆ３が徐々に加わる。従って、複数の棚板２０からの摩擦力Ｆ１〜Ｆ３が各棚受け部６１〜６３に同時に加わる場合に比べて、左扉５１を容易に閉じることができ、棚受け部６１〜６３によって棚板２０を容易に支持させることができる。
【００３３】
また、本実施形態では、固定フック４０により棚板２０が内部槽１０ｂにおいて固定されるので、棚受け部６１〜６３により棚板２０が支持された状態で左扉５１を開いた場合でも、棚受け部６１〜６３と棚板２０との間の摩擦力によって棚板２０が内部槽１０ｂからせり出してしまうのを防止することができる。
【００３４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３５】
例えば、上記実施形態では、棚板を支持する棚受け部が設けられた恒温槽について説明したが、本発明は、庫内において収納物が載置される棚板の両端を庫内の内壁に設けられた棚板支持部材で支持する収納庫であれば、恒温槽に限定されない。また、棚板の段数も限定されない。
【００３６】
また、上記実施形態では、棚受け部６１〜６３が形成された棚受け部材６０を左扉５１に取り付ける例について説明したが、本発明はこれに限らず、棚受け部と扉とを一体的に形成しても良い。
【００３７】
また、上記実施形態では、棚受け部６１〜６３が形成された棚受け部材６０を左扉５１に取り付ける例について説明したが、本発明はこれに限らず、棚受け部材を右扉に取り付けても良いし、左扉及び右扉の両扉に取り付けても良い。
【００３８】
また、上記実施形態では、観音開き式の扉に棚受け部材を取り付ける例について説明したが、本発明はこれに限らず、スライド式の扉や片開き式の扉など様々な形式の扉に棚受け部を設けることが可能である。
【００３９】
また、上記実施形態では、上部の棚受け部６１、中間の棚受け部６２、下部の棚受け部６３の順に棚板２０を支持する部分の長さが小さくなっている例について説明したが、本発明はこれに限らず、図５に示した変形例に係る棚受け部材１６０のように、上部の棚受け部１６１、中間の棚受け部１６２、下部の棚受け部１６３の順に棚板を支持する部分の長さが大きくなっても良い。
【００４０】
また、上記実施形態では、棚受け部６１，６２，６３が棚板２０を１枚ずつ順に支持する例について説明したが、本発明はこれに限らず、一例として６段の棚板を支持する場合には、図６に示した変形例の棚受け部材２６０のように、棚受け部２６１，２６２，２６３が棚板２２０を複数枚ずつ（図６では、２枚ずつ）順に支持しても良い。
【００４１】
また、上記実施形態、上記第１変形例及び第２変形例では、棚受け部の棚板を支持する部分の長さを上から又は下から順に異ならせる場合について説明したが、本発明はこれに限らず、棚受け部の棚板を支持する部分の長さをランダムに異ならせても良い。
【００４２】
また、上記実施形態では、棚板２０の最も撓み易い部分を支持するために、棚受け部６１〜６３が棚板２０の両端間の中央部分を支持するように構成されている例について説明したが、本発明はこれに限らず、棚板の両端間の中央部分以外の部分を支持しても良い。また、棚受け部を複数の位置に設け、各棚板を複数の位置で支持しても良い。
【００４３】
また、上記実施形態では、複数の棚受け部６１〜６３が一体的に形成された棚受け部材６０を扉５１に取り付ける例について説明したが、本発明はこれに限らず、図７に示した変形例に係る棚受け部材のように、別個の部材である複数の棚受け部３６１〜３６３を扉３５１に取り付けても良い。
【００４４】
また、上記実施形態では、左扉５１及び右扉５２を開閉可能に支持する蝶番（図示せず）に加わる負荷を低減するために、棚受け部材６０が底面１１の段部１２に乗り上がる例について説明したが、本発明はこれに限らず、扉の支持構造を別途設けても良い。扉の支持構造としては、図８に示した変形例のように、棚受け部材４６０に固定用突起４６１を設けると共に、筐体４１０の天井に当該固体用突起４６１を支持可能な固定具４１１を設けても良い。これにより、扉４５１を閉じたときに固定用突起４６１が固定具４１１に係合し、扉４５１自体の荷重や棚受け部材４６０の荷重が、扉４５１を開閉可能に支持する蝶番（図示せず）に集中的に加わるのを防止することができる。また、図８に示した固定具を庫内の下部に設けても良い。さらに、上記実施形態に示した扉の支持構造と、図８に示した変形例に係る扉の支持構造（固定用突起４６１，固定具４１１）とを組み合わせて適用しても良い。また、固定用突起４６１と固定具４１１との配置を逆にしても良いし、扉、天井の複数の位置に設けても良い。
【００４５】
また、上記実施形態では、蝶番（図示せず）に加わる負荷を低減するための構造として、棚受け部材６０が底面１１の段部１２に乗り上がる例について説明したが、本発明はこれに限らず、左扉及び右扉が底面に形成された段部に乗り上がる構造であっても良い。
【００４６】
なお、本発明では、上記した蝶番に加わる負荷を低減するための構造を必ずしも設ける必要はない。具体的には、上記実施形態で示した底面１１の段部１２，棚受け部材６０のテーパ部６０ａ，棚受け部材６０を上下方向に移動可能にする構成や、図８に示した固定用突起４６１，固定具４１１は、本発明では必ずしも設ける必要はない。
【図面の簡単な説明】
【００４７】
【図１】本発明の一実施形態に係る恒温槽の全体構成を示した斜視図である。
【図２】図１に示した恒温槽の左扉が閉じられた状態を示した側面図である。
【図３】図１に示した恒温槽の棚受け部が棚板を支持する過程を説明するための図である。
【図４】図１に示した恒温槽の棚受け部材が底面の段部に支持される状態を示している側面図である。
【図５】図１に示した恒温槽の棚受け部材の変形例を示した側面図である。
【図６】図１に示した恒温槽の棚受け部材の変形例を示した側面図である。
【図７】図１に示した恒温槽の棚受け部材の変形例を示した斜視図である。
【図８】図１に示した恒温槽の扉の支持構造の変形例を示した側面図である。
【図９】従来の一例による恒温槽の全体構成を示した斜視図である。
【符号の説明】
【００４８】
１ 恒温槽
１０ 筐体
２０ 棚板
３０ 棚板支持部材
４０ 固定フック
５１ 左扉
５２ 右扉
６０ 棚受け部材
６１〜６３ 棚受け部
【図１】
0005235063.tif 000002
【図２】
0005235063.tif 000003
【図３】
0005235063.tif 000004
【図４】
0005235063.tif 000005
【図５】
0005235063.tif 000006
【図６】
0005235063.tif 000007
【図７】
0005235063.tif 000008
【図８】
0005235063.tif 000009
【図９】
0005235063.tif 000010